(57)【要約】【課題】  端末装置の特性や能力等に見合った価格でコンテンツデータを提供することが可能な情報提示装置及び情報提示方法等を提供する。【解決手段】  本発明に係る情報提示装置は、通信手段を介して接続された端末装置に対しコンテンツデータを提示する情報提示装置であって、前記端末装置の動作環境を示す情報及び当該端末装置の種類を示す情報の少なくとも何れか一方を含む端末情報を取得する端末情報取得手段と、前記端末装置に対し提示すべきコンテンツデータの価格であって、前記端末情報に見合った価格を算出するコンテンツ価格算出手段と、前記端末情報に基づいて、複数の素材データから構成された素材データ群のうちから最適な素材データを選定し、前記端末装置において提示されるべきコンテンツデータとして構成するコンテンツ構成手段と、前記構成されたコンテンツデータを前記端末装置に提示させるコンテンツ提示手段と、を備える。【選択図】  図１
2005284806.tif 000002
【特許請求の範囲】
【請求項１】
通信手段を介して接続された端末装置に対しコンテンツデータを提示する情報提示装置であって、
前記端末装置の動作環境を示す情報及び当該端末装置の種類を示す情報の少なくとも何れか一方を含む端末情報を取得する端末情報取得手段と、
前記端末装置に対し提示すべきコンテンツデータの価格であって、前記端末情報に見合った価格を算出するコンテンツ価格算出手段と、
前記端末情報に基づいて、複数の素材データから構成された素材データ群のうちから最適な素材データを選定し、前記端末装置において提示されるべきコンテンツデータとして構成するコンテンツ構成手段と、
前記構成されたコンテンツデータを前記端末装置に提示させるコンテンツ提示手段と、を備えることを特徴とする情報提示装置。
【請求項２】
請求項１に記載の情報提示装置において、
前記算出されたコンテンツデータの価格を前記端末装置に提示させるコンテンツ価格提示手段を更に備えることを特徴とする情報提示装置。
【請求項３】
請求項２に記載の情報提示装置において、
前記端末装置において提示された前記価格に対する承諾を示す承諾情報を、前記端末装置から受け付ける承諾情報受付手段を更に備え、
前記コンテンツ構成手段は、前記承諾情報が受け付けられた場合に、前記最適な素材データを選定し、前記端末装置において提示されるべきコンテンツデータとして構成することを特徴とする情報提示装置。
【請求項４】
請求項１乃至３の何れか一項に記載の情報提示装置において、
前記算出されたコンテンツデータの価格に基づき課金処理を実行する課金処理手段を更に備えることを特徴とする情報提示装置。
【請求項５】
請求項１乃至４の何れか一項に記載の情報提示装置において、
前記コンテンツ価格算出手段は、前記端末情報を構成する複数の構成情報毎に予め設定された価格を積算して前記コンテンツデータの価格を算出することを特徴とする情報提示装置。
【請求項６】
請求項１乃至５の何れか一項に記載の情報提示装置において、
前記素材データ群は、予め定められたツリー型の階層構造からなる管理データによって管理されており、
前記コンテンツ構成手段は、当該管理データの内容を前記端末情報に応じて変更することによって、前記最適な素材データを選定することを特徴とする情報提示装置。
【請求項７】
コンピュータを、請求項１乃至６の何れか一項に記載の情報提供装置として機能させることを特徴とする情報提示処理プログラム。
【請求項８】
請求項７に記載の情報提示処理プログラムがコンピュータ読み取り可能に記録されたことを特徴とする記録媒体。
【請求項９】
通信手段を介して接続された端末装置に対しコンテンツデータを提示する情報提示装置における情報提示方法であって、
前記端末装置の少なくとも動作環境を示す情報を含む端末情報を取得する工程と、
前記端末装置に対し提示すべきコンテンツデータの価格であって、前記端末情報に見合った価格を算出する工程と、
前記端末情報に基づいて、複数の素材データから構成された素材データ群のうちから最適な素材データを選定し、前記端末装置において提示されるべきコンテンツデータとして構成する工程と、
前記構成されたコンテンツデータを前記端末装置に提示させる工程と、を備えることを特徴とする情報提示方法。
【発明の詳細な説明】
【技術分野】
【０００１】
本発明は、インターネット等のネットワークを介して接続された端末装置に対しコンテンツデータを提示する情報提示装置及び方法等の技術分野に関する。
【背景技術】
【０００２】
従来より、例えば、インターネット上のＷＥＢサーバ等のサーバ装置から、例えば公衆回線及びプロバイダを介して接続してきたＰＣ（Personal computer）等の端末装置に対し、映像、画像、音声、及び文字データ等のコンテンツデータを提供（配信）するネットワークシステムが広く知られている。端末装置側では、これにインストールされている例えばＷＥＢブラウザ用いて、提供されたコンテンツデータ等の提示を行うようになっており、これにより、ユーザは、ＰＣ上で所望のコンテンツを視聴することができる。
【０００３】
近年では、特許文献１に開示されるように、ＰＣばかりでなく、携帯電話機及びＰＤＡ（Personal Digital Assistant）等の移動体端末からも、インターネット上のサーバ装置に接続して、コンテンツデータの提供を受けることが可能になっている。更に、最近では、双方向マルチメディア通信サービス用の通信端末であるＳＴＢ（Set Top Box）が接続された、いわゆるインタラクティブ・テレビ（この場合、当該ＳＴＢと当該テレビとを含めて端末装置というものとする）においては、当該ＳＴＢからインターネット上のサーバ装置に接続して、コンテンツデータの提供を受け、それを当該テレビ上で提示可能になっている。
【０００４】
このように、従来のネットワークシステムにおいては、様々な種類の端末装置によりコンテンツデータの提供を受けることができるが、端末装置の特性や能力等、例えば、映像等のコンテンツを表示するソフトウェアの有無、表示画面のサイズや表現能力等によってコンテンツデータの内容を同一にできないため、サーバ装置側では、一般に、そのＰＣ、ＰＤＡ、携帯電話機等毎に提供するべきコンテンツデータを分けて用意している。
【０００５】
そして、近年、上記環境下において、ユビキタスネットワークに向けた動きがあり、これは、様々な種類の端末装置で、何時でも、何処でもネットワークに接続できる環境を提供するものである。
【特許文献１】特開２００３−１１０７４８号公報
【発明の開示】
【発明が解決しようとする課題】
【０００６】
しかしながら、従来のネットワークシステムでは、端末装置の特性や能力等が異なるため、サーバ装置側では、別々のコンテンツデータを用意しなければならなかった。また、端末装置側では、その表示画面のサイズにぴったり合ったサイズの画像、色数、また、ＣＰＵの処理能力に応じた動画や音声データの提供を受けることができないことによるユーザの不満があった。
【０００７】
また、有料のコンテンツデータをユーザが購入する場合、端末装置の特性や能力等が端末装置毎に異なるにも関わらず、提供されるコンテンツデータの価格が同じである、言い換えれば、使用する端末装置の特性や能力等に合わせた課金方式になっていないことによるユーザの不満もあった。
【０００８】
本発明は、以上の点に鑑みてなされたものであり、端末装置の特性や能力等に見合った価格でコンテンツデータを提供することが可能な情報提示装置及び情報提示方法等を提供することを課題とする。
【課題を解決するための手段】
【０００９】
上記課題を解決するために、請求項１に記載の発明は、通信手段を介して接続された端末装置に対しコンテンツデータを提示する情報提示装置であって、前記端末装置の動作環境を示す情報及び当該端末装置の種類を示す情報の少なくとも何れか一方を含む端末情報を取得する端末情報取得手段と、前記端末装置に対し提示すべきコンテンツデータの価格であって、前記端末情報に見合った価格を算出するコンテンツ価格算出手段と、前記端末情報に基づいて、複数の素材データから構成された素材データ群のうちから最適な素材データを選定し、前記端末装置において提示されるべきコンテンツデータとして構成するコンテンツ構成手段と、前記構成されたコンテンツデータを前記端末装置に提示させるコンテンツ提示手段と、を備えることを特徴とする。
【００１０】
請求項２に記載の発明は、請求項１に記載の情報提示装置において、前記算出されたコンテンツデータの価格を前記端末装置に提示させるコンテンツ価格提示手段を更に備えることを特徴とする。
【００１１】
請求項３に記載の発明は、請求項２に記載の情報提示装置において、前記端末装置において提示された前記価格に対する承諾を示す承諾情報を、前記端末装置から受け付ける承諾情報受付手段を更に備え、前記コンテンツ構成手段は、前記承諾情報が受け付けられた場合に、前記最適な素材データを選定し、前記端末装置において提示されるべきコンテンツデータとして構成することを特徴とする。
【００１２】
請求項４に記載の発明は、請求項１乃至３の何れか一項に記載の情報提示装置において、前記算出されたコンテンツデータの価格に基づき課金処理を実行する課金処理手段を更に備えることを特徴とする。
【００１３】
請求項５に記載の発明は、請求項１乃至４の何れか一項に記載の情報提示装置において、前記コンテンツ価格算出手段は、前記端末情報を構成する複数の構成情報毎に予め設定された価格を積算して前記コンテンツデータの価格を算出することを特徴とする。
【００１４】
請求項６に記載の発明は、請求項１乃至５の何れか一項に記載の情報提示装置において、前記素材データ群は、予め定められたツリー型の階層構造からなる管理データによって管理されており、前記コンテンツ構成手段は、当該管理データの内容を前記端末情報に応じて変更することによって、前記最適な素材データを選定することを特徴とする。
【００１５】
請求項７に記載の発明は、コンピュータを、請求項１乃至６の何れか一項に記載の情報提供装置として機能させることを特徴とする。
【００１６】
請求項８に記載の発明は、請求項７に記載の情報提示処理プログラムがコンピュータ読み取り可能に記録されたことを特徴とする。
【００１７】
請求項９に記載の発明は、通信手段を介して接続された端末装置に対しコンテンツデータを提示する情報提示装置における情報提示方法であって、前記端末装置の少なくとも動作環境を示す情報を含む端末情報を取得する工程と、前記端末装置に対し提示すべきコンテンツデータの価格であって、前記端末情報に見合った価格を算出する工程と、前記端末情報に基づいて、複数の素材データから構成された素材データ群のうちから最適な素材データを選定し、前記端末装置において提示されるべきコンテンツデータとして構成する工程と、前記構成されたコンテンツデータを前記端末装置に提示させる工程と、を備えることを特徴とする。
【発明の効果】
【００１８】
本発明によれば、端末情報に基づいて、複数の素材データから構成された素材データ群のうちから最適な素材データを選定し、端末装置において提示されるべきコンテンツデータとして動的に構成（再構成）し、更に、そのコンテンツデータの価格を端末情報に見合った価格として算出するように構成したので、ユーザは、例えばユーザ毎に夫々異なる端末装置のＣＰＵの処理能力に応じて調整、変換され、当該端末装置の画面サイズ及び画面の色数通りに調整、変換されたコンテンツを視聴することができ、しかも、当該端末装置の特性や能力（コンテンツのグレード）に応じた価格で当該コンテンツデータの提供を受けることができる。
【発明を実施するための最良の形態】
【００１９】
以下、本発明を実施するための最良の実施形態について、図面に基づいて説明する。なお、以下に説明する実施形態は、情報処理システムに対して本発明を適用した場合の実施の形態である。
【００２０】
［１．情報処理システムの構成及び概要機能］
先ず、図１等を参照して、本実施形態に係る情報処理システムの構成及び概要機能について説明する。
【００２１】
図１は、本実施形態に係る情報処理システムの概要構成例を示す図である。
【００２２】
図１に示すように、本実施形態に係る情報処理システムＳは、端末装置１と、情報提示装置としての情報提示サーバ装置２と、決済サーバ装置３と、を含んで構成されている。そして、これらの装置は、通信手段としてのネットワーク４を介して相互にデータの送受信が可能になっている。また、情報提示サーバ装置２は、当該ネットワーク４を介して接続された端末装置１からの要求に応じてコンテンツデータを提供（送信）し、当該コンテンツデータを端末装置１に提示（例えば、画像表示、音声出力による提示）させるようになっている。なお、ネットワーク４は、例えば、インターネット、専用通信回線（例えば、ＣＡＴＶ（Community Antenna Television）回線）、移動体通信網（無線基地局等を含む）、及びゲートウェイ等により構築される。
【００２３】
［１−１．端末装置の構成及び概要機能］
端末装置１としては、例えばＰＣ、ＰＤＡ、携帯電話機（或いは、ＰＨＳ(Personal Handyphone System)）、ＳＴＢが接続されたテレビ受像機等の電子機器（電子デバイス）が該当し、本実施形態において、ユーザは、利用場所や利用状況に応じてこれらの種類の異なる電子機器を端末装置１として任意に選択することになる。
【００２４】
そして、端末装置１は、全ての電子機器に共通の基本的な構成要素として、演算機能を有するＣＰＵ（Central Processing Unit），作業用ＲＡＭ（Random-Access Memory），ＲＯＭ（Read-Only Memory）等から構成された情報処理部と、各種プログラム及び各種データ等を記憶する記憶部（例えば、ＨＤＤ（Hard Disc Drive），又はＥＥＰＲＯＭ（Electrically Erasable Programmable Read Only Memory）等）と、ユーザからの操作指示を入力する操作部（例えば、キーボード，マウス，又は操作パネル（又はリモートコントローラ）等）と、画像や文字等の情報を表示する表示部（例えば、ＣＲＴ（Cathode-Ray Tube），又は液晶ディスプレイ等）と、音声を出力するスピーカと、情報提示サーバ装置２の通信部と協働し情報提示サーバ装置２との間の通信状態を制御する通信部と、を備えている。
【００２５】
また、全ての電子機器に共通にＲＯＭ又は記憶部に記憶される各種プログラムとして、ＯＳ（オペレーティングシステム）、及びアプリケーションソフト（ブラウザソフト（プログラム）、プロファイル収集エージェントソフト（プログラム）等）がある。
【００２６】
端末装置１のＣＰＵによりブラウザ（例えば、ＷＥＢブラウザ）ソフトが実行されることによって、端末装置１は、情報提示サーバ装置２に接続してコンテンツデータを要求し、これに対し情報提示サーバ装置２から提供されたコンテンツデータを提示することになる。
【００２７】
また、端末装置１のＣＰＵによりプロファイル収集エージェントソフトが実行されることによって、端末装置１は、当該端末装置１の動作環境を示す情報を含む端末情報、及びユーザへのコンテンツデータの提示履歴を示す情報をそれぞれ収集し、端末及び回線（ネットワーク）プロファイル、及びユーザプロファイルとして、情報提示サーバ装置２に提供（送信）することになる。なお、通常、端末及び回線プロファイルとユーザプロファイルは、それぞれ異なるタイミングで独立して収集されて情報提示サーバ装置２に提供（送信）される。また、プロファイル収集エージェントソフトは、例えば情報提示サーバ装置２から端末装置１にダウンロードされるようにしてもよいし、例えば、ＣＤ−ＲＯＭ、メモリカード等の記録媒体に記録されて端末装置１に読み込まれるようにしてもよい。
【００２８】
ここで、端末及び回線プロファイルには、例えば、ＣＰＵの動作周波数（ＣＰＵの速度）、メモリ（例えば、ＲＡＭ）の記憶容量、記憶部の空き容量、表示画面のサイズ（画面解像度）と表現能力（文字数、色数等）、回線速度（例えば、ビットレート（bps））、インストールされるソフトウェアの種類（例えば、ＯＳの種類、アプリケーションソフトの種類、プラグインソフト（ブラウザソフトの機能を追加、拡張するソフトであって、例えば、マルチメディア情報を閲覧するためのShockwaveやFlash Player（登録商標）、或いは、デジタル文書を閲覧するためのAcrobat Reader（登録商標）等がある）の種類）等の構成情報が含まれる（もちろん、上記情報の一部であってもよいし、他の情報が含まれてもよい）。
【００２９】
なお、プロファイル収集エージェントソフトにより収集可能な端末情報として、上記の他にも、ＣＰＵの種類、ビデオカードの製品名、及びサウンドボードの製品名等が挙げられる。
【００３０】
このような端末及び回線プロファイルにて示される構成情報は、電子機器の種類によって異なる（もちろん、同じ種類の電気機器であっても異なる場合もある）。例えば、ＰＣと携帯電話機では、周知の通り、ＣＰＵの動作周波数、メモリの記憶容量、記憶部の空き容量、表示画面のサイズと表現能力、ＯＳの種類、及びブラウザソフトの種類が異なるし、ＰＣのブラウザソフトにはプラグインソフトを組み込めるが、携帯電話機のブラウザソフトにはプラグインソフトを組み込めない等の点で異なっている。
【００３１】
また、ユーザプロファイルには、例えば、情報提示サーバ装置２から提供されたコンテンツデータを端末装置１がどこまでユーザに提示したかの（状況）履歴、言い換えれば、当該コンテンツデータをユーザがどこまで閲覧（視聴）したかの（状況）履歴を示す情報が含まれる。例えば、コンテンツデータが、章立てになっている内容であった場合に、どの章における画像、音声、及び文字までをユーザに提示（ユーザが閲覧）したかの（状況）履歴や、コンテンツデータが、映画等のように繋がりのあるストーリー性のある内容であり、かつシーン毎に分割されている場合に、どの（何番目の）シーンまでユーザに提示（ユーザが閲覧）したかの（状況）履歴を示す情報が該当する。ここで、「どの章」、或いは、「どのシーン」であるかを特定するための情報として後述する識別情報が、上記提示履歴を示す情報に含まれることになる。
【００３２】
［１−２．情報提示サーバ装置の構成及び概要機能］
情報提示サーバ装置２は、図１に示すように、演算機能を有するコンピュータとしてのＣＰＵ，作業用ＲＡＭ，ＲＯＭ等から構成された情報処理部２１と、各種プログラム及び各種データ等を記憶するＨＤＤ（Hard Disc Drive）等から構成された記憶部２２と、端末装置１又は決済サーバ装置３の通信部と協働し端末装置１又は決済サーバ装置３との間の通信状態を制御する通信部２３と、を備えており、情報処理部２１のＣＰＵは、例えば記憶部２２に記憶された、本発明の情報提示処理プログラム等を実行することにより、本発明の端末情報取得手段及び履歴情報取得手段としての情報取得部２１ａ、履歴情報蓄積手段としての履歴情報蓄積部２１ｂ、コンテンツ構成手段としてのコンテンツ構成部２１ｃ、コンテンツ提示手段及び選択提示手段としてのコンテンツ提示部２１ｄ、コンテンツ価格算出手段としてのコンテンツ価格算出部２１ｅ、コンテンツ価格提示手段及び承諾情報受付手段としてのコンテンツ価格提示・承諾受付部２１ｆ、及び課金処理手段としての課金処理部２１ｇ等として機能するようになっている。
【００３３】
なお、情報提示処理プログラムは、例えばインターネット上の所定のサーバから情報提示サーバ装置２にダウンロードされるようにしてもよいし、例えば、ＣＤ−ＲＯＭ等の記録媒体に記録されて当該記録媒体のドライブを介して情報提示サーバ装置２に読み込まれるようにしてもよい。
【００３４】
また、上記記憶部２２には、履歴情報データベース（ＤＢ）２２ａ、素材データベース（ＤＢ）２２ｂ、階層化管理データベース（ＤＢ）２２ｃ、端末情報対応付けデータベース（ＤＢ）２２ｄ、及び価格設定データベース（ＤＢ）２２ｅ等が構築されている。
【００３５】
情報取得部２１ａは、端末装置１から提供された上記端末及び回線プロファイルと、上記ユーザプロファイルと、をそれぞれ取得するようになっている。この端末及び回線プロファイルは、例えば、端末装置１がネットワーク４を介して接続してきた際に、情報取得部２１ａにより要求され取得される。一方、上記ユーザプロファイルは、例えば、端末装置１と情報提示サーバ装置２との通信セッションが終了する際等、任意のタイミングで情報取得部２１ａにより要求され取得される。また、上記ユーザプロファイルは、端末装置１にて収集されずとも、コンテンツデータが端末装置１に提供される際に情報取得部２１ａにより取得されてもよい。
【００３６】
そして、履歴情報蓄積部２１ｂは、上記ユーザプロファイルを履歴情報データベース２２ａに蓄積するようになっている。このユーザプロファイルは、例えば、ユーザ毎に予め登録された固有のユーザＩＤ及びパスワードに対応付けられて登録される。
【００３７】
素材データベース２２ｂには、コンテンツデータの基になる素材データ群が記憶（登録）されている。このような素材データ群は、例えば、映像（ビデオ）データ、音声（オーディオ）データ、画像データ、文字（テキスト）データ、３Ｄ（Dimensions）ＣＧ（Computer graphic）データ等の素材データにより構成されており、適宜、更新されるようになっている。また、素材データ群は、階層化管理データベース２２ｃに記憶（登録）されたツリー型の階層構造からなる管理データによって管理されており、これによって、素材データ群は、構造化されるようになっている。
【００３８】
図２は、管理データによって構造化された素材データ群の一例を示す概念図である。図２の例は、「英会話教材」の素材データ群の階層構造を示しており、この素材データ群に含まれる各素材データは、階層構造の最下層に位置している。そして、各素材データより上位階層に位置する（各素材データに付加される）属性情報（「章」、「節」、「ビデオ」、「オーディオ」、「画像」、「３ＤＣＧ」、「テキスト」、「スクリプト（ＣＰＵに実行させる命令や手順を、テキストを用いて記述したプログラム）」等）によって、素材データ群は、次第に統合され構造化されるようになっている。
【００３９】
また、上記属性情報のうち任意に選択された属性情報には、それぞれ固有の識別情報（以下、属性ＩＤという）、及び情報の重要度（優先度）を示す情報（以下、情報優先度という）が付与されている。これにより、結果的に、各素材データに当該属性ＩＤ、及び情報優先度が付与されることになる。
【００４０】
図３は、図２に示すツリー型の階層構造を規定する管理データの一部の例を示す図である。図３に示す管理データは、ＸＭＬ（eXtensible Markup Language）によって記述されており、上記属性情報は、タグ（＜＞）内に記述され、開始タグ（＜属性情報＞）と終了タグ（＜／属性情報＞）の間には、更に、下位階層の属性情報のタグが記述され、階層化されている。例えば、図３の例において、「オーディオビデオ」の開始タグ５１ａと終了タグ５１ｂの間には、「ビデオ」及び「オーディオ」のタグが記述されている。
【００４１】
なお、管理データには、図３に示すＸＭＬ文書の他に、図示しないが、当該ＸＭＬ文書のスタイル（端末装置１に表示部に表示されるページや文字等の書式であるスタイル）を定義するスタイル文書（例えば、ＸＳＬ（eXtensible Stylesheets Language）やＣＳＳ（Cascading Style Sheets））が含まれている。
【００４２】
また、図３の例では、「章」、「節」、「ビデオ」、「オーディオ」、及び「画像」等の属性情報には、それぞれ固有の属性ＩＤが付与されている。例えば、「ビデオ」に付与された属性ＩＤは、「ビデオ」の開始タグ５２ａと終了タグ５２ｂの間に記述された「ＩＤ」の開始タグ５３ａと終了タグ５３ｂの間に記述されている（この例では、数値）。
【００４３】
また、図３の例では、「ビデオ」、「オーディオ」、及び「画像」等の属性情報には、それぞれ情報優先度が付与されている。例えば、「ビデオ」に付与された情報優先度は、「ビデオ」の開始タグ５２ａと終了タグ５２ｂの間に記述された「情報優先度」の開始タグ５４ａと終了タグ５４ｂの間に記述されている。なお、本実施形態においては、情報優先度が数値で表され、その数値が小さいほど、情報の重要度（優先度）が高いことを意味している。
【００４４】
更にまた、「ビデオ」、「オーディオ」、及び「画像」等の開始タグと終了タグの間には詳細情報が記述されている。例えば、「ビデオ」の開始タグ５２ａと終了タグ５２ｂの間には、そのビデオの詳細情報５５が記述されている。この詳細情報５５のうち、「実体ＵＲＬ」の開始タグ５５ａと終了タグ５５ｂの間には、その映像（ビデオ）データの所在を示すＵＲＬが記述されている。つまり、かかるＵＲＬによって、階層構造の最下層にある素材データにリンクされることになる。
【００４５】
図４は、シーン毎に分割された素材データ群を規定する管理データの一部の例を示す図である。図４の例では、シーン毎に分割された素材データ群は、ＡＶ（オーディオビデオ）クリップであり、各シーンは、例えば、映像データ、音声データ、画像データ、３ＤＣＧデータ、及び文字データ等の繋がりのある複数の素材データから構成されている。
【００４６】
また、図４に示すように、各シーンは、所定の時間範囲（例えば、符号６１部のＩＮタイムコードのタグと、ＯＵＴタイムコードのタグで規定された時間範囲（１分〜１分３０秒））で区切られている。更に、各シーンには、それぞれ固有の属性ＩＤが付与されている。例えば、「シーン１」に付与された属性ＩＤは、シーン１の「ＩＤ」の開始タグ６２ａと終了タグ６２ｂの間に記述されている。
【００４７】
以上説明した管理データは、コンテンツデータに含められて端末装置１に提供されることになるが、端末装置１おいては、提示した素材データ（ユーザによって閲覧された素材データ）の上位階層に位置する属性情報に付与された属性ＩＤを、提示履歴を示す情報として上記ユーザプロファイルに含めることになる。従って、情報提示サーバ装置２側では、かかる属性ＩＤから、ユーザが、何章何節の素材データまでを閲覧したか、或いは、どのシーンまでを視聴したかを認識することができ、次に提示されるべき素材データを特定できるのである。
【００４８】
そして、コンテンツ構成部２１ｃは、上記端末及び回線プロファイルと上記ユーザプロファイルに基づいて（端末及び回線プロファイルのみに基づいてもよい）、複数の素材データから構成された素材データ群のうちから最適な素材データを選定し、端末装置１において提示されるべきコンテンツデータとして構成（再構成）するようになっている。更に、コンテンツ構成部２１ｃは、上記選定した最適な素材データにより構成される表示オブジェクト（画像や映像等）のレイアウト（表示画面上における大きさ、割り当て、色数、文字数等を含む）を端末及び回線プロファイルに含まれる端末情報に見合ったレイアウトに変更することもできる。
【００４９】
このように、コンテンツ構成部２１ｃは、上記素材データ群を、端末情報と提示履歴を示す情報に応じてトランスコーディングして当該コンテンツデータを構成する処理を行うことになる。
【００５０】
この具体的な処理の一例として、上記管理データを利用した場合について説明する。
【００５１】
先ず、コンテンツ構成部２１ｃは、最新のユーザプロファイルに含まれる提示履歴を示す情報としての属性ＩＤに対応する素材データ（例えば、１章１節に属する素材データ、或いはシーン１に属する素材データ）に続く素材データ（例えば、１章２節に属する素材データ、或いはシーン２に属する素材データ）を管理する管理データを階層化管理データベース２２ｃから取得する。
【００５２】
次に、コンテンツ構成部２１ｃは、取得した管理データを基礎として、端末及び回線プロファイルに含まれる端末情報に見合った新たな管理データを作成する。
【００５３】
例えば、コンテンツ構成部２１ｃは、端末及び回線プロファイルを提供した端末装置１の表示画面のサイズが、管理データに記述されたビデオのフレームサイズより小さい場合には、情報優先度が、例えば、３以上の素材データ（例えば、映像データ）に付与された属性情報のタグ（例えば、図３において、「ビデオ」の開始タグ５２ａから終了タグ５２ｂまで）を削除する。
【００５４】
また、コンテンツ構成部２１ｃは、端末及び回線プロファイルを提供した端末装置１には映像を表示するためのプラグインソフトがインストールされていない場合にも、情報優先度が、例えば、３以上の素材データ（例えば、映像データ）に付与された属性情報のタグを削除する。
【００５５】
言い換えれば、上記の場合、情報優先度が、例えば、２以下の素材データ（例えば、文字データ、音声データ、及び画像データ）に付与された属性情報のタグは削除されずそのままとなるので、結果として、情報優先度が２以下（１及び２）の素材データが最適な素材データとして選定されることになる。つまり、端末情報に応じた（見合った）情報優先度が付与された素材データが選定されることになる。
【００５６】
また、更に端末装置１の表示画面のサイズが小さい場合や、画像をブラウザソフトにて画像を表示できない等の場合には、例えば、情報優先度が２以上の素材データ（例えば、映像データ及び画像データ）に付与された属性情報のタグが削除され、情報優先度が１のみの素材データ（例えば、文字データ）が最適な素材データとして選定されることになる。なお、表示画面のサイズやプラグインソフトの有無等に応じて、幾つの情報優先度の素材データが選定されるかの対応付け情報（規則）は、端末情報対応付けデータベース（ＤＢ）２２ｄに予め記憶（登録）されることになる（その他の対応付けも同様）。
【００５７】
また、コンテンツ構成部２１ｃは、端末及び回線プロファイルを提供した端末装置１の表示画面のサイズ（例えば、１８０×１２０ドット）が、管理データに記述されたビデオ（或いは、画像）のフレームサイズ（例えば、３２０×２４０ドット）より小さい場合には、当該端末装置１の表示画面のサイズに合わせて管理データに記述されたビデオ（或いは、画像）のフレームサイズを小さくしたり、或いは、表示文字数や表示画像数を減らしたり、更には、素材データ（例えば、画像データ等）により構成される表示オブジェクトの表示画面上における割り当て（配置）を変更したりすることによって、当該表示オブジェクトのレイアウトを端末情報に見合ったレイアウトに変更するようにしてもよい。また、コンテンツ構成部２１ｃは、表示オブジェクトのレイアウトの変更に伴ない、リンク情報を再定義するようにしてもよい。
【００５８】
更にまた、コンテンツ構成部２１ｃは、端末及び回線プロファイルを提供した端末装置１の表現能力が、管理データに記述された量より低い場合には、上記端末装置１の表現能力に合わせて管理データに記述された色数を減らすように構成してもよい。
【００５９】
更にまた、コンテンツ構成部２１ｃは、端末及び回線プロファイルを提供した端末装置１の回線速度が、所定のビットレートより低い場合には、管理データに記述されたビデオのフレームサイズやフレームレートを小さくするように構成してもよい。
【００６０】
このように、コンテンツ構成部２１ｃは、上記管理データの内容を端末情報に応じて変更することによって、最適な素材データを選定することになる。こうして、作成された管理データと、これに示される素材データがコンテンツデータとして構成される。
【００６１】
コンテンツ提示部２１ｄは、以上のように構成されたコンテンツデータを、通信部２３及びネットワーク４を介して、端末装置１に提供（送信）し、当該コンテンツデータを端末装置１に提示（端末装置１のブラウザにより画像表示、音声出力による提示）させるようになっている。
【００６２】
また、コンテンツ価格算出部２１ｅは、上記端末装置１に対し提示すべきコンテンツデータの価格であって、端末情報に見合った価格を算出するようになっている。
【００６３】
図５は、価格設定データベース２２ｅに記憶（登録）された端末情報を構成する複数の構成情報と、価格との対応付けの一例を示す図である。図５に示すように、各構成情報毎に価格設定がなされており、図５の例では、同じ種類の構成情報であっても、その能力が高いものほど、価格が高く設定されるようになっている（例えば、ＣＰＵの動作周波数が１．２ＧＨｚに対しては１８０円に設定されているのに対し、ＣＰＵの動作周波数が１．６ＧＨｚに対しては２００円に設定されている）。また、図５の例では、構成情報の種類毎に基本価格、上限価格、及び下限価格が設定されている。
【００６４】
コンテンツ価格算出部２１ｅは、このような価格設定データベース２２ｅに記憶された内容を参照し、上記端末及び回線プロファイルに含まれる全部又は一部の構成情報（例えば、ＣＰＵの動作周波数、メモリの記憶容量、表示画面のサイズと表現能力、及び回線速度等）の価格を抽出して、抽出された価格を積算してコンテンツデータの価格を算出する。なお、上記端末及び回線プロファイルに含まれる構成情報が、価格設定データベース２２ｅにて価格設定がなされていない場合も想定できるが、かかる場合、構成情報の種類（例えば、ＯＳ、メモリの記憶容量等の種類）の上限価格と下限価格の間の範囲内の何れかの価格になるように規定しておけばよい。例えば、図５の例では、メモリの記憶容量が５１２ＭＢのものの価格設定がなされていないが、この場合、価格設定がなされているもののうち最大の記憶容量のものと比較（例えば２５６ＭＢ）し、それより大きい場合には、上限価格の２５０円とするように構成する。
【００６５】
また、図５の例では、各構成情報毎に価格設定がなされているが、これに限定されるものではなく、構成情報の組み合わせで価格設定をするように構成してもよい。例えば、ＣＰＵの動作周波数が１ＧＨｚ、表示画面のサイズが１０２４×７６８、回線速度が９００Ｋｂｐｓの３つの組み合わせの価格が５２５円というように設定してもよい。
【００６６】
また、コンテンツ価格提示・承諾受付部２１ｆは、このように算出されたコンテンツデータの価格を、例えば上記コンテンツ構成部２１ｃによりコンテンツデータが構成される前に、通信部２３及びネットワーク４を介して、端末装置１に提供（送信）し、端末装置１に提示（例えば、端末装置１のブラウザにより画像表示、音声出力による提示）させ、端末装置１において提示された当該価格に対するユーザからの承諾を示す承諾情報を、端末装置１から受け付けるようになっている。つまり、コンテンツ価格提示・承諾受付部２１ｆは、算出されたコンテンツデータの価格を見積りという形で端末装置１のユーザに提示し、承諾が得られた場合に、コンテンツデータを構成、提示するのである。
【００６７】
また、課金処理部２１ｇは、上記算出され、承諾されたコンテンツデータの価格に基づき課金処理を実行するようになっている。例えば、算出されたコンテンツデータの価格をその端末装置１のユーザのユーザＩＤに対応付けて記録し、後にその価格をユーザに対して請求する（例えば、コンテンツデータの価格及び振込先等が記載された請求書を端末装置１に送信する）。また、課金処理部２１ｇは、ユーザＩＤに対応付けられたコンテンツデータの価格の情報を決済サーバ装置３に送信して、そこで決済（例えば、クレジットカード決済）処理を行わせる。
【００６８】
なお、上記算出されたコンテンツデータの価格をユーザに提示することなく（見積りを提示することなく）、当該コンテンツデータを提供し、その後、当該算出されたコンテンツデータの価格に基づき課金処理を実行するように構成してもよい。
【００６９】
［１−３．決済サーバ装置の構成及び概要機能］
決済サーバ装置３は、例えばサーバコンピュータからなり、図示しないが、専用回線及び接続サービスセンターを介して、クレジットカード会社や金融機関等の決済機関の決済処理システムに接続されている。また、決済サーバ装置３は、ユーザ情報データベースを有しており、当該データベースには、端末装置１のユーザのユーザＩＤに対応付けられて、ユーザの氏名、住所、電話番号、メールアドレス、口座番号、クレジットカード番号などの個人情報が登録されている。そして、決済サーバ装置３は、情報提示サーバ装置２の課金処理部２１ｇから送信されたユーザＩＤと、これに対応付けられたコンテンツデータの価格の情報を受信した場合、専用回線及び接続サービスセンターを介して決済処理システムに接続し、決済処理要求（例えば、クレジットカード決済要求）を行うようになっている。
【００７０】
［２．情報処理システムの動作］
次に、図６等を参照して、本実施形態に係る情報処理システムの動作例について説明する。
【００７１】
図６は、コンテンツデータが端末装置１に提供される場合における情報提示サーバ装置２の情報処理部２１の処理を示すフローチャートである。
【００７２】
なお、以下の説明において、ユーザは、既にＰＣを端末装置１として情報提示サーバ装置２に接続しコンテンツデータの提供を受けており、かかるＰＣにおけるコンテンツデータの提示履歴を示す情報が含まれたユーザプロファイルが履歴情報データベース２２ａに記憶（蓄積）されているものとする。
【００７３】
先ず、ユーザが、例えばＰＤＡを端末装置１として選択し、かかる端末装置１の操作部を操作してブラウザソフトを実行（起動）させ情報提示サーバ装置２のサイトのＵＲＬを指定すると、当該端末装置１がネットワーク４を介して情報提示サーバ装置２に接続し（通信セッションを確立）ソースを要求する。これに応じ、情報提示サーバ装置２は、ユーザＩＤ入力画面データ（例えば、ＷＥＢページデータ）等を取得してネットワーク４を介して端末装置１に送信する（ステップＳ１）。
【００７４】
こうして、端末装置１の表示部には、図示しないユーザＩＤ入力画面が表示されることになり、かかる画面上には、ユーザＩＤ及びパスワードの入力欄が設けられている。このような表示状態において、ユーザが操作部を操作して当該入力欄に自己のユーザＩＤ及びパスワードを入力し実行ボタンを指定（押下）すると、入力されたユーザＩＤ及びパスワードがネットワーク４を介して情報提示サーバ装置２に送信される。
【００７５】
情報提示サーバ装置２は、端末装置１から送信されたユーザＩＤ及びパスワードを受信し（ステップＳ２：Ｙ）、ユーザ認証を実行、例えば、履歴情報データベース２２ａに当該ユーザＩＤ及びパスワードが登録されているか否かを判別し（ステップＳ３）、登録されている場合には（ステップＳ３：Ｙ）、情報提示サーバ装置２は、ネットワーク４を介して端末装置１に対し、端末及び回線プロファイルを要求する（ステップＳ４）。かかる要求に対し、端末装置１は、プロファイル収集エージェントソフトを起動（実行）し、当該端末装置１の端末情報を収集し、端末及び回線プロファイルとしてネットワーク４を介して情報提示サーバ装置２に送信する。なお、端末情報は、この時に収集されるのではなく、予め収集され端末及び回線プロファイルとして端末装置１の記憶部に記憶されておくように構成してもよい。
【００７６】
こうして、情報提示サーバ装置２（情報取得部２１ａ）は、端末装置１から送信された端末及び回線プロファイルを受信（ステップＳ５：Ｙ）、取得する（ステップＳ６）。続いて、情報提示サーバ装置２（情報取得部２１ａ）は、当該ユーザＩＤに対応するユーザプロファイルが履歴情報データベース２２ａに蓄積されているか否かを判別し（ステップＳ７）、蓄積されている場合には（ステップＳ７：Ｙ）、最新のユーザプロファイルを取得する（ステップＳ８）。こうして、取得された端末及び回線プロファイル及び最新のユーザプロファイルは、ＲＡＭ等に一旦記憶されることになる。
【００７７】
次に、情報提示サーバ装置２（コンテンツ価格算出部２１ｅ）は、上述したように、価格設定データベース２２ｅに記憶された内容を参照し、上記端末及び回線プロファイルに含まれる全部又は一部の構成情報の価格を抽出して、当該抽出された価格を積算してコンテンツデータの価格を算出する（ステップＳ９）。
【００７８】
次に、情報提示サーバ装置２（コンテンツ価格提示・承諾受付部２１ｆ）は、構成情報及び夫々の価格と、上記算出されたコンテンツデータの価格が記述された見積提示画面データ（例えば、ＷＥＢページデータ）を、通信部２３及びネットワーク４を介して、端末装置１に提供（送信）し、端末装置１に提示（例えば、端末装置１のブラウザにより画像表示）させる（ステップＳ１０）。
【００７９】
こうして、端末装置１において表示された見積提示画面例を図７に示す。図７に示すように、見積提示画面７１には、構成情報であるＯＳ、ＣＰＵの動作周波数、メモリの記憶容量、画面解像度、色数、回線速度等の各能力（仕様）と価格とが対応付けられて表示されており、更に、これらの価格が積算されたコンテンツデータの価格（合計）が表示されている。また、見積提示画面７１には、「承諾する」ボタン７１ａと、「承諾しない」ボタン７１ｂが表示されている。
【００８０】
このような表示状態において、ユーザは、当該見積提示に対して承諾する場合には、「承諾する」ボタン７１ａを例えばマウス等によりクリックすると、当該価格に対して承諾することを示す承諾情報が、通信部２３及びネットワーク４を介して情報提示サーバ装置２に送信される。一方、ユーザは、当該見積提示に対して承諾しない場合には、「承諾しない」ボタン７１ｂを例えばマウス等によりクリックすると、当該価格に対して承諾しないことを示す非承諾情報が、通信部２３及びネットワーク４を介して情報提示サーバ装置２に送信される。
【００８１】
次に、情報提示サーバ装置２（コンテンツ価格提示・承諾受付部２１ｆ）は、端末装置１から送信された承諾を示す承諾情報を受け付けた場合には（ステップＳ１１：Ｙ）、ステップＳ１２に移行する。一方、情報提示サーバ装置２（コンテンツ価格提示・承諾受付部２１ｆ）は、端末装置１から送信された非承諾を示す非承諾情報を受け付けた場合には（ステップＳ１１：Ｎ）処理を終了する。
【００８２】
次に、ステップＳ１２では、情報提示サーバ装置２（コンテンツ構成部２１ｃ）は、上述したように、最新のユーザプロファイルに含まれる提示履歴を示す情報としての属性ＩＤに対応する素材データ（例えば、ユーザがＰＣ上で閲覧した素材データ、例えば、１章１節まで閲覧）に続く素材データ（例えば、１章２節に属する素材データ）を管理する管理データ（例えば、１章２節に属する管理データ）を階層化管理データベース２２ｃから取得する。
【００８３】
次に、情報提示サーバ装置２（コンテンツ構成部２１ｃ）は、取得した管理データを基礎として、端末情報対応付けデータベース（ＤＢ）２２ｄに記憶された対応付け情報を参照しつつ、上述したように、端末及び回線プロファイルに含まれる端末情報に見合った新たな管理データを作成（つまり、上記端末情報に見合った最適な素材データが選定等される）し（ステップＳ１３）、当該管理データと、これに示された最適な素材データを素材データベース（ＤＢ）２２ｂから取得して、端末装置１において提示されるべきコンテンツデータを構成する（ステップＳ１４）。
【００８４】
図８は、ユーザプロファイル及び端末及び回線プロファイルに基づいて作成された管理データによって構造化された素材データ群の一例を示す概念図である。図８の例では、図２と比較すると、この場合の端末装置１がＰＤＡであり３ＤＣＧデータを表示する機能が無いために、３ＤＣＧデータの部分（ノード部分）は、削除されていることがわかる。
【００８５】
そして、情報提示サーバ装置２（コンテンツ提示部２１ｄ）は、構成されたコンテンツデータ（管理データを含む）を、通信部２３及びネットワーク４を介して、端末装置１に提供（送信）する（ステップＳ１５）。
【００８６】
次に、情報提示サーバ装置２（課金処理部２１ｇ）は、上述したように、コンテンツデータの価格に基づき課金処理を実行する（ステップＳ１６）。
【００８７】
こうして、端末装置１（ブラウザ）は、上記管理データに基づき、ユーザからの操作部を介した操作指示に従って上記コンテンツデータに含まれる画像を表示部に表示したり、音声をスピーカから出力することになる。この際、端末装置１は、コンテンツデータに含まれる提示した素材データの属性情報に付与された属性ＩＤを取得し記憶部に記憶することになる。そして、例えば、端末装置１（ブラウザ）は、ユーザからの操作部を介した操作指示に従ってコンテンツデータの提示を終了する場合には、プロファイル収集エージェントソフトを起動（実行）し、上記記憶された属性ＩＤを含む当該端末装置１の提示履歴を示す情報を収集し、ユーザプロファイルとしてネットワーク４を介して情報提示サーバ装置２に送信する。
【００８８】
そして、情報提示サーバ装置２は、端末装置１から送信されたユーザプロファイルを受信、取得し、これを当該ユーザのユーザＩＤに対応つけて履歴情報データベース２２ａに記憶（蓄積）する。これにより、ユーザが、その後、他の電子機器（例えば、携帯電話機）を端末装置１として選択した場合にも、かかる提示履歴が情報提示サーバ装置２にて参照されることができる。
【００８９】
以上説明したように上記実施形態によれば、端末及び回線プロファイル及びユーザプロファイルに基づいて、複数の素材データから構成された素材データ群のうちから最適な素材データを選定し、端末装置１において提示されるべきコンテンツデータとして動的に構成（再構成）し、更に、そのコンテンツデータの価格を端末情報に見合った価格として算出するように構成したので、ユーザは、例えばユーザ毎に夫々異なる端末装置１のＣＰＵの処理能力に応じて調整、変換され、かつ当該端末装置１の画面サイズ及び画面の色数通りに調整、変換されたコンテンツを視聴することができ、しかも、当該端末装置１の特性や能力に応じた価格で当該コンテンツデータの提供を受けることができる。
【００９０】
また、情報提示サーバ装置２側では、端末装置１の特性や能力等に応じて別々のコンテンツデータを用意することなく、端末装置に応じた最適なコンテンツデータを提示することができると共に、複数の端末装置（例えば、ＰＣとＰＤＡ）にまたがった（横断した）シームレスなコンテンツデータを提示することができる。これにより、例えば、ユーザが、ＰＣを端末装置１として視聴していたコンテンツの続きを、ＰＤＡを端末装置１として簡単に視聴（閲覧）することができる（ユーザの嗜好に応じたパーソナライズが可能）。特に、シーン毎に分割された繋がりのあるコンテンツである場合に有効である。
【００９１】
また、ツリー型の階層構造からなる管理データによって素材データ群を管理し、当該管理データの内容を端末情報に応じて変更することによって、最適な素材データを選定するようにしたので、端末情報に最適なコンテンツデータを容易に構成することができる。
【００９２】
更にまた、各属性データに属性ＩＤを付与し、これを提示履歴を示す情報として利用するように構成したので、端末装置１において提示されたコンテンツデータの提示履歴を簡単に取得、蓄積することができる。
【００９３】
なお、上記実施形態においては、コンテンツデータを構成する各素材データに付与された属性ＩＤを利用することによって、情報提示サーバ装置２は、コンテンツデータの提示履歴を認識するように構成したが、かかる属性ＩＤを利用することによって、従来のブラウザ等にて機能するブックマークに相当するメディアマークを構成することもできる。
【００９４】
より具体的には、ＰＣである端末装置１において、例えば、コンテンツデータが提示されている途中で、ユーザが端末装置１の操作部を操作して所望の画像、映像、音声、又は文字部分にメディアマーク指定をすると、かかる画像、映像、音声、又は文字部分を構成する素材データに付与された属性ＩＤを含むメディアマーク情報が、ネットワーク３を介して情報提示サーバ装置２に送信される。情報提示サーバ装置２（情報取得部２１ａ）は、端末装置１から送信されたメディアマーク情報を受信、これに含まれる属性ＩＤを取得する。そして、情報提示サーバ装置２（履歴情報蓄積部２１ｂ）は、かかる属性ＩＤを当該ユーザのユーザＩＤに対応付けて、メディアマーク指定のあった属性ＩＤとして履歴情報データベース２２ａに記憶（蓄積）する。
【００９５】
その後、ユーザが、例えばＰＣからＰＤＡに変えた（変えなくても良いが）後の端末装置１から情報提示サーバ装置２に接続した場合において（図６に示す処理と同様）、情報提示サーバ装置２（コンテンツ提示部２１ｄ）は、端末装置１からメディアマーク一覧の要求（例えば、ユーザの操作部の操作指示による）があったときに、履歴情報データベース２２ａに記憶（蓄積）された、メディアマーク指定に係る属性ＩＤ（当該ユーザＩＤに対応）に対応する素材データを示す情報（例えば、上述した属性情報）が含まれるメディアマーク一覧情報を、選択可能に端末装置１に提示（つまり、当該情報をネットワーク４を介して端末装置１に送信してブラウザにより選択可能に表示させる）し、当該メディアマーク一覧情報のうちから何れかの素材データを示す情報（例えば、上述した属性情報）が選択された場合には、当該選択に係る素材データが含まれるコンテンツデータを、ネットワーク３を介して端末装置１に送信して提示させるように構成する。
【００９６】
このような構成によれば、映像等のように時間軸を持ったメディアや、ダイナミックに表示レイアウトや表示内容が変更されるリッチコンテンツにおいても、ユーザが所望する当該コンテンツを簡単に提供することができる。
【００９７】
また、上記実施形態においては、端末装置１の動作環境を示す情報を端末情報に含め、これに基づいて、情報提示サーバ装置２が、複数の素材データから構成された素材データ群のうちから最適な素材データを選定し、上記端末装置１において提示されるべきコンテンツデータとして構成するようにしたが、これに限定されるものではなく、例えば、端末装置１の種類（ＰＣ、ＰＤＡ、携帯電話機等の種類）を示す情報を端末情報に含め、かかる端末装置１の種類に基づいて（情報提示サーバ装置２側では、当該種類に応じた素材データの選定ルールを規定しておく）、情報提示サーバ装置２が、複数の素材データから構成された素材データ群のうちから最適な素材データを選定し（更には、上述したように、表示オブジェクトのレイアウト変更も行うようにしてもよい）、上記端末装置１において提示されるべきコンテンツデータとして構成するようにしてもよい。このような構成においても、端末装置１の種類毎に価格を設定しておき、情報提示サーバ装置２は、端末装置１の種類に見合ったコンテンツデータの価格を算出することになる。
【図面の簡単な説明】
【００９８】
【図１】本実施形態に係る情報処理システムの概要構成例を示す図である。
【図２】管理データによって構造化された素材データ群の一例を示す概念図である。
【図３】図２に示すツリー型の階層構造を規定する管理データの一部の例を示す図である。
【図４】シーン毎に分割された素材データ群を規定する管理データの一部の例を示す図である。
【図５】価格設定データベース２２ｅに記憶（登録）された端末情報を構成する複数の構成情報と、価格との対応付けの一例を示す図である。
【図６】コンテンツデータが端末装置１に提供される場合における情報提示サーバ装置２の情報処理部２１の処理を示すフローチャートである。
【図７】端末装置１において表示された見積提示画面例を示す図である。
【図８】ユーザプロファイル及び端末及び回線プロファイルに基づいて作成された管理データによって構造化された素材データ群の一例を示す概念図である。
【符号の説明】
【００９９】
１  端末装置
２  情報提示サーバ装置
３  決済サーバ装置
４  ネットワーク
２１  情報処理部
２１ａ  情報取得部
２１ｂ  履歴情報蓄積部
２１ｃ  コンテンツ構成部
２１ｄ  コンテンツ提示部
２１ｅ  コンテンツ価格算出部
２１ｆ  コンテンツ価格提示・承諾受付部
２１ｇ  課金処理部
２２  記憶部
２２ａ  履歴情報データベース
２２ｂ  素材データベース
２２ｃ  階層化管理データベース
２２ｄ  端末情報対応付けデータベース
２２ｅ  価格設定データベース
２３  通信部
Ｓ  情報処理システム
【図１】
2005284806.tif 000003
【図２】
2005284806.tif 000004
【図３】
2005284806.tif 000005
【図４】
2005284806.tif 000006
【図５】
2005284806.tif 000007
【図６】
2005284806.tif 000008
【図７】
2005284806.tif 000009
【図８】
2005284806.tif 000010